(57)【特許請求の範囲】
【請求項１】
太陽光を入射させる入射面を有し、電力の発電に寄与する太陽電池モジュールと、この太陽電池モジュールをその前面にて固定、保持するベースとを備えた太陽電池パネルであって、
前記ベースに、前記太陽電池モジュールの入射面を残して該ベースを取り囲み、かつ、該太陽電池モジュールをベースと共に取り付け施工面に対して直接取り付ける金属製のシースを設け、
前記金属製のシースは、立ち上がり壁部を有し、前記ベースの配置領域を形成する溝型断面をなすシース本体と、このシース本体の立ち上がり壁部の先端に一体連結し、端面を相互に向かい合わせにした対向姿勢でもって、前記シース本体と協働して前記ベースを挟持する一対のフランジとからなることを特徴とする直付け式太陽電池パネル。
【請求項２】
前記シース本体は、前記太陽電池パネルを、取り付け施工面に固定保持するブラケットを有することを特徴とする請求項１に記載した直付け式太陽電池パネル。
【請求項３】
前記シース本体は、その背面に、取り付け施工面に当接して該シース本体を支持すると共に、複数の凹部と凸部を交互に配列した波形形状の補強部材を有することを特徴とする請求項１または２に記載した直付け式太陽電池パネル。
【請求項４】
前記各凸部は、一方から他方に向けて順次に変更された突出高さと、一定の角度で傾斜させた頂壁を有することを特徴とする請求項３に記載した直付け式太陽電池パネル。
【請求項５】
前記凸部は、その内側に、太陽電池パネルのケーブルを載置、収納する起立壁を有することを特徴とする請求項３または４に記載した直付け式太陽電池パネル。
【請求項６】
前記ベースが、粘着性の合成樹脂またはゴム体からなることを特徴とする請求項１〜５のいずれか１に記載した直付け式太陽電池パネル。
【請求項７】
前記フランジは、その先端部を内向きに折り返した折り返し片を有することを特徴とする請求項１〜６のいずれか１に記載した直付け式太陽電池パネル。
【請求項８】
請求項１〜７のいずれか１に記載した直付け式太陽電池パネルを、取り付け施工面に固定、保持する方法において、
前記金属製のシースに直接または前記金属製のシースに設けたブラケットに締結手段を通すと共に、該締結手段を前記取り付け施工面にねじ込むことによって前記太陽電池パネルを、該取り付け施工面に直に固定、保持することを特徴とする直付け式太陽電池パネルの取り付け施工方法。
【発明の詳細な説明】
【技術分野】
【０００１】
本発明は、取り付け施工面に対して太陽電池パネルを直接設置するのに適した直付け式太陽電池パネルと、その太陽電池パネルの取り付け施工方法に関するものである。
【背景技術】
【０００２】
太陽電池は、太陽光を利用して電力を発生させることが可能であり、その発電に際しては地球温暖化を招く二酸化炭素の排出もないため、現在のところ、クリーンエネルギー源を利用できる電力供給手段として最も期待されているものの一つになっている。
【０００３】
上記太陽電池は、太陽光を取り入れる太陽電池モジュールを、板状のベースに配置、固定保持してパネル化を図り、これを、取り付け器具を介して建築構造物の屋根や屋上あるいは壁部に設置して使用するのが普通である。
【０００４】
この点に関する先行技術として、例えば、特許文献１には、太陽電池ユニットを、太陽電池と、太陽電池が乗るパネル基板と、太陽電池をパネル基板上に固定する太陽電池固定手段とによって構成されものが開示されている。
【先行技術文献】
【特許文献】
【０００５】
【特許文献１】特開２００１―２１４５８４号公報
【発明の開示】
【発明が解決しようとする課題】
【０００６】
上記特許文献１に開示の太陽電池ユニットは、前記パネル基板に、樋部と通気部を設け、前記固定手段に、軒側押え部材および棟側押え部材を設け、太陽電池の軒側端部を、太陽電池固定手段の棟側押え部により固定してパネル基板上に載置する一方、設置時に棟側に位置する該太陽電池固定手段の軒側押え部により、その軒側の太陽電池の棟側端部を軒側のパネル基板を押えつけて固定するようにしたものであって、これによれば、太陽電池の、とくに屋上への施工が容易になるとされていた。
【０００７】
ところで、上記特許文献１に開示されているような従来の太陽電池パネルにおいては、該パネルを設置、固定するための器具が、多数の部品から構成されており、その取り扱いが容易でなく、効率的な取り付け施工を行うのが難しいという問題があった。
【０００８】
そこで、本発明の目的は、現場における取り扱いが容易であり、かつ、複雑な取り付け器具を要することなしに施工面への取り付けを可能とする直付け式太陽電池パネルを提案するところにある。
【課題を解決するための手段】
【０００９】
本発明は、上述したような従来の課題を解決するためになされたものである。
すなわち、本発明は、太陽光を入射させる入射面を有し、電力の発電に寄与する太陽電池モジュールと、この太陽電池モジュールをその前面にて固定、保持するベースとを備えた太陽電池パネルであって、前記ベースに、前記太陽電池モジュールの入射面を残して該ベースを取り囲み、かつ、該太陽電池モジュールをベースと共に取り付け施工面に対して直接取り付ける金属製のシースを設け、前記金属製のシースは、立ち上がり壁部を有し、前記ベースの配置領域を形成する溝型断面をなすシース本体と、このシース本体の立ち上がり壁部の先端に一体連結し、端面を相互に向かい合わせにした対向姿勢でもって、前記シース本体と協働して前記ベースを挟持する一対のフランジとからなることを特徴とする直付け式太陽電池パネルである。
【００１０】
また、本発明は、上記の構成に加え、
１）前記シース本体に、前記太陽電池パネルを、取り付け施工面に固定保持するブラケットを設けること、
２）前記シース本体に、その背面に、取り付け施工面に当接して該シース本体を支持すると共に、複数の凹部と凸部を交互に配列した波形形状の補強部材を設けること、
３）前記各凸部を、一方から他方に向けて順次に変更された突出高さと、一定の角度で傾斜させた頂壁（傾斜頭部）を有するもので構成すること、
４）前記凸部の内側に、太陽電池パネルのケーブルを載置、収納する起立壁を設けること、
５）前記ベースを、粘着性の合成樹脂またはゴム体にて構成すること、
６）前記フランジに、その先端部を内向きに折り返した折り返し片を設けること、が課題解決のための具体的手段として好ましい。
【００１１】
さらに、本発明は、上記の構成からなる太陽電池パネルの取り付け方法において、前記金属製のシースに直接または前記金属製のシースに設けたブラケットに締結手段を通すと共に、該締結手段を、前記取り付け施工面にねじ込むことによって前記太陽電池パネルを該取り付け施工面に直に固定、保持することを特徴とする直付け式太陽電池パネルの取り付け施工方法である。
【発明の効果】
【００１２】
上記の構成からなる本発明によれば、太陽電池モジュールを固定、保持するベースを、金属製のシースによって覆うと共に、該シースを介して太陽電池パネルをボルト等の締結手段を介して直接施工面に取り付けるようにしたため、太陽電池パネルの取り付けが簡単に行える。
【００１３】
また、本発明によれば、太陽電池パネルを取り付けるための専用の取り付け器具が必要ないため、現場における取り扱いが容易であり、しかも、コストの軽減も可能となる。
【００１４】
また、本発明に係る太陽電池パネルによれば、前記金属製のシースを、前記ベースの配置領域を形成するシース本体と、このシース本体につながる一対のフランジとを備えたフランジ付きの溝型断面を有する部材で構成したため簡単な形状でありながら、ベースの固定、保持が確実になる。
【００１５】
さらに、上記の構成からなる本発明によれば、前記シース本体にブラケットを設け、このブラケットを利用して太陽電池パネルを直付け固定するようにしたため、部品点数の増大を招く専用の取り付け器具が不要となる。
【００１６】
また、上記の構成からなる本発明によれば、前記シース本体の背面に、施工面に当接して該シール本体を支持すると共に、複数の凹部と凸部を交互に配列した波形形状の補強部材を設けることにより、シース自体の曲げ剛性を大幅に高めることができる。これにより、止め付け箇所を減らすことが可能となり、施工性が向上する。
【００１７】
しかも、本発明に係る太陽電池パネルによれば、補強部材を設けることにより、金属製のシースを薄肉にしてその軽量化を図ることが可能となる。
【００１８】
また、本発明に係る太陽電池パネルによれば、補強部材の凸部を、一方から他方に向けて順次に変更された突出高さにすると共に、その頭部に傾斜を設けることにより、太陽電池パネルを、所定の角度に保持することができ、雨だれ、粉塵等の付着による影響が受け難くなり、しかも太陽光の入射量の増大により効率的な発電が可能となる。
【００１９】
なお、本発明に係る太陽電池パネルによれば、凸部の内側に起立壁を設け、この起立壁の内側に太陽電池パネルのケーブルを収納するようにしたため、該ケーブルが直接、風雨あるいは太陽光に曝されることがなく、経時劣化を回避し得る。
【００２０】
また、本発明に係る太陽電池パネルによれば、ベースを、粘着性の合成樹脂またはゴム体にて構成するようにしたため、太陽電池モジュールの全面を、ベースに密着させることができ、該太陽電池モジュールの確実な固定、保持が可能となる。
【００２１】
とくに、上記の構成からなる本発明によれば、フランジの先端部を内向きに折り返した折り返し片を設けることにより、重量増しを伴うことなしにその部位の強度を改善することができる。また、フランジの端面（切断端面）が表面に出ることがないため、シースを金属部材で構成したとしても、耐食性に影響を与えることがない。
【００２２】
また、本発明の太陽電池パネルによれば、太陽電池モジュールの表面が、該フランジの表面よりも内側に位置しているため、施工時に誤って太陽電池モジュールの表面を損傷するのを防止することができる。
【００２３】
本発明に係る太陽電池パネルの取り付け施工方法によれば、前記金属製のシースに直接または前記金属製のシースに設けたブラケットに締結手段を通すと共に、該締結手段を前記取り付け施工面にねじ込むことによって前記太陽電池パネルを、該取り付け施工面に直に固定、保持することが可能であり、取り付け作業にかかる時間が短時間で済む。
【図面の簡単な説明】
【００２４】
【図１】本発明に従う太陽電池パネルの実施の形態を示した図であり、（ａ）は側面図、（ｂ）は正面図である。
【図２】図１に示した太陽電池パネルの外観斜視図である。
【図３】図１に示した太陽電池パネルの製造要領を示した図である。
【図４】本発明に従う太陽電池パネルの他の実施の形態を示した図であり（ａ）はその側面図、（ｂ）は正面図である。
【図５】本発明に従う太陽電池パネルのさらに他の実施の形態を示した図であり、（ａ）はその側面図、（ｂ）は正面図である。
【発明を実施するための形態】
【００２５】
以下、図面を参照して、本発明をより具体的に説明する。
図１（ａ）（ｂ）は、本発明に従う太陽電池パネルの実施の形態を模式的に示した図であり、（ａ）はその側面図、（ｂ）はその正面図である。
【００２６】
図１（ａ）（ｂ）における符号１は、太陽光を入射させる入射面Ｍを有し、電力の発電に寄与する太陽電池モジュールである。
【００２７】
太陽電池モジュール１は、例えば、表面から順に、アモルファスシリコン層（青色層）、シリコンゲルマニウム層（緑色層）、微結晶シリコン層（赤色層）を積層した３層のセルで構成することができるものであって、この場合、紫外線から赤外線まで、波長が異なる光を、スペクトル分割方式により高効率で吸収することが可能になる。
【００２８】
上記構成の太陽電池モジュール１においては、アモルファスシリコン層の上にはエチレン・四フッ化エチレン共重合（ＥＴＦＥ）フィルムが配置され、微結晶シリコン層の下には、バックフィルムおよびステンレス箔が配置されるが、太陽電池モジュール１は、上記のものには限定されない。
【００２９】
また、図における符号２は、太陽電池モジュール１を固定保持するためのベースである。ベース２としては、粘着性の合成樹脂、弾性ゴム体、アスファルト等が適用される。
【００３０】
また、図における符号３は、太陽電池モジュール１の入射面Ｍを残してベース２を覆い隠す金属製のシースである。この金属製のシース３は、スチール製の塗装鋼板、亜鉛めっき鋼板、アルミニウム亜鉛合金めっき鋼板、アルミニウム板、ステンレス鋼板、銅板等を適用することができるものであり、ベース２の配置領域を形成する溝型断面（Ｕ字断面）からなるシース本体３ａと、このシース本体３ａの立ち上がり壁部３ａ１、３ａ２の先端部に一体連結する一対のフランジ３ｂから構成されている。
【００３１】
フランジ３ｂは、その端面を相互に向い合せにした対向姿勢となるようにシース本体３ａの壁面と平行に設けられており、シース本体３ａと協働して該ベース２を挟持している。
【００３２】
また、符号４は、フランジ３ｂの先端部を内向きに折り返して２枚重ねにした折り返し片（図１ａ）の拡大図参照）、５は、フランジ３ｂにおいてベース２の耳部２ａおよびシース本体３ａを貫くように形成された貫通孔（またはねじ孔でもよい）である。
【００３３】
上記の折り返し片４は、重量増しを伴うことなしにその部位の強度を高めると共に、フランジ３ｂの端面を外部に表出させないようにするためのものであって、とくにシース３の耐食性の改善に寄与する。
【００３４】
また、折り返し片４を設けることにより、太陽電池モジュール１の前面が、フランジ３ｂの外表面よりも寸法ｔ（図１（ａ）拡大図参照）だけ内側に位置することとなり、取り付け施工の際等、太陽電池モジュール１の損傷を避けることができる。
【００３５】
上記の構成からなる太陽電池パネルは、シース３によってベース２の剛性が確保されている。そして、貫通孔５にねじ（ドリルねじ、タッピンねじ）の如き締結手段Ｎを通すと共に、取り付け施工面Ｔに該締結手段Ｎをねじ込むことにより、直に固定保持することができる。従って、取り付け器具を別途に用意する必要がなく、簡単な作業のもとで太陽電池パネルの取り付けが可能となる。
【００３６】
なお、貫通孔５は、施工現場において形成してもよい。これにより、太陽電池パネルを設置すべき施工面の状況に合わせた対応が可能となる。
【００３７】
タッピンねじを用いてフランジ３ｂ、ベース２およびシース本体３ａを貫くように該ねじをねじ込んでいくことにより、太陽電池パネルを、取り付け施工面に固定することも可能である。
【００３８】
図２は、上掲図１（ａ）（ｂ）に示した太陽電池パネルの取り付け施工状況の一例を示した外観斜視図であり、太陽電池パネルのシース３を、ドリルねじ、タッピンねじ等のねじＮで壁や屋根等の取り付け施工面Ｔに直接取り付けた例を示したものである。
【００３９】
本発明に従う太陽電池パネルは、取り付け施工が簡単であるばかりでなく、例えば、ロール成形法を適用することによって製造することが可能であり、効率的な製造も可能である。
【００４０】
ロール成形法を適用して太陽電池パネルを製造するには、まず、図３に示すように、所定の幅寸法、長さに切り出した薄板材Ｓにつき、その幅端部に折り返し部４を形成する。そして、該板材ＳがＵ字状断面となるように成形したのち、その凹部に太陽電池モジュール１を備えたベース２を配置し、さらに、該板材Ｓの立ち上がり部分を、ベース２の上端面を基点にして内側に折り込めばよい。
【００４１】
図４（ａ）（ｂ）は、本発明に従う太陽電池パネルの他の実施の形態を示した図である。図４（ａ）（ｂ）における符号６は、シース３と一体になる例で示したブラケット、７は、シース本体３ａの背面に配置され、シース自体を補強する補強部材である。
【００４２】
上記ブラケット６は、取り付け施工面に当接する当接板６ａと、この当接板６ａにつながる脚部６ｂから構成されており、ここでは、Ｌ字断面をなすもの例として示してある。
【００４３】
また、補強部材７は、台形状の凹部７ａと台形状の凸部７ｂを交互に配列した波形形状を有しており、凹部７ａの底壁７ａ１を取り付け施工面に当接させ、凸部７ｂの頂壁７ｂ１をシース本体３ａの背面に当接させて該シース本体３ａを支持する。
【００４４】
さらに、図における符号８は、補強部材７の凸部７ｂの内側に一体的に設けられた起立壁である。この起立壁８は、凸部７ｂの端部で折り曲げられると共に、その先端部を２枚重ねにした折り曲げ片からなるものを例として示してある。
【００４５】
起立壁８の内側に、太陽電池パネルのケーブル９を載置、収納しておくことにより、該ケーブル９が風雨あるいは太陽光に曝されるのを防ぐことができ、該ケーブル９の経時的な劣化を回避することが可能となる。
【００４６】
上掲図４（ａ）（ｂ）に示した太陽電池パネルは、ブラケット６の当接板６ａを取り付け施工面に当てがい、該当接板６ａを通してドリルねじ、タッピンねじ等の締結手段をねじ込むことにより該取り付け施工面に直に取り付けることができる。
【００４７】
ブラケット６については、シース３をロール成形する際に、該シース３と共に成形することが可能（単一の板材で製造することができる）であり、係る構造の太陽電池パネルにおいても効率的な製造が可能となる。
【００４８】
この実施の形態で示した補強部材７については、シース３とは別体物となるが、該補強部材７は、予めシース３の背面に接着固定しておいてもよいし、施工現場で接着固定することも可能であり、この点についてはとくに限定されることはない。
【００４９】
さらに、図５（ａ）（ｂ）に、本発明に従う太陽電池パネルのさらに他の実施の形態を示す。この例は、ブラケット６のうちの一方（図５の上方のブラケット）について当接板６ａのみを設けたものである。
【００５０】
係る構成の太陽電池パネルは、取り付け施工面に対して角度を付与することを可能とするものであって、発電効率の改善を図ることができると共に、太陽電池モジュール１における雨だれや粉塵等の付着を回避することが可能になる。
【００５１】
とくに、図５（ａ）（ｂ）に示したような構成になる太陽電池パネルにおいては、補強部材７の凸部７ｂの突出高さｈを、当接板６aのみを設けたブラケット６から離れる向きに順次高くしていくと共に、凸部７ｂの頂壁７ｂ１を一定の角度で傾斜させることによってシース本体３ａを確実に支持することができる。
【００５２】
角度を付与した太陽電池パネルにおいても、ブラケット６の当接板６ａを施工面に当てがい、該当接板６ａを通してドリルねじ、タッピンねじ等の締結手段Ｎをねじ込むことにより直に太陽電池パネルを取り付けることができ、取り付け器具を別途に用意することなしに簡便な固定が可能となる。
【００５３】
金属製のシース３については、両側面が開放されたフランジ付きの溝型断面をなすものを例として示したが、該両側面には、その部位を閉塞する壁部を設けることも可能であり、この点についてはとくに限定されない。
【産業上の利用可能性】
【００５４】
本発明によれば、太陽電池パネルを、金属製のシースを利用して直に取り付け施工面に固定保持することができるので、効率的な取り付け施工が可能となる。
【００５５】
また、本発明によれば、太陽電池パネルを取り付けるための専用の器具が不要（部品点数の削減）であり、コストの軽減を図ることができる。
【符号の説明】
【００５６】
１      太陽電池モジュール
２      ベース
２ａ    耳部
３      金属製のシース
３ａ    シース本体
３ｂ    フランジ
４      折り返し片
５      貫通孔
６      ブラケット
６ａ    当接板
６ｂ    脚部
７      補強部材
７ａ    凹部
７ｂ    凸部
８      台座
９      ケーブル
【図１】
0005766520.tif 000002
【図２】
0005766520.tif 000003
【図３】
0005766520.tif 000004
【図４】
0005766520.tif 000005
【図５】
0005766520.tif 000006